(57)【要約】【課題】  異なるプロトコルを持つ端末を収容する多地点ＴＶ会議通信において、異なるプロトコルを持つそれぞれの端末に共通のプロトコルを実装することなく、それぞれの端末からの通話中操作を実現する。【解決手段】  ＳＩＰ−ＭＣＵ接続装置１００は、ＳＩＰプロトコルを用いるＳＩＰ端末と接続するＳＩＰ端末終端制御部２と、３Ｇ−３２４Ｍプロトコルを用いる３Ｇ−３２４Ｍ端末と接続し、所定の情報をＳＩＰ端末へ送信するよう要求するＰＢ信号を３Ｇ−３２４Ｍ端末から入力する３Ｇ−３２４Ｍ端末終端部３と、３Ｇ−３２４Ｍ端末終端部３の入力したＰＢ信号を検出し、検出したＰＢ信号に基づいて、ＳＩＰ端末への送信を要求される所定の情報をＳＩＰ端末終端制御部２に出力する情報出力部７０とを備え、ＳＩＰ端末終端制御部２は、情報出力部７０の出力した所定の情報を入力し、入力した所定の情報をＳＩＰプロトコルを用いてＳＩＰ端末に送信する。【選択図】      図２
2005333422.tif 000002
【特許請求の範囲】
【請求項１】
複数の地点に存在する端末のそれぞれと通信によって接続されることにより端末同士の会話を中継するとともに、端末から要求を受け付けて、受け付けた要求に応答する多地点接続装置において、
第１のプロトコルを用いて通信を行う第１プロトコル端末と接続して第１プロトコルを終端する第１プロトコル終端部と、
第２のプロトコルを用いて通信を行う第２プロトコル端末と接続して第２プロトコルを終端するとともに、所定の情報を前記第１プロトコル端末へ送信するよう要求する第２プロトコル端末要求信号を前記第２プロトコル端末から入力する第２プロトコル終端部と、
前記第２プロトコル終端部の入力した第２プロトコル端末要求信号を検出し、検出した第２プロトコル端末要求信号に基づいて、前記第１プロトコル端末への送信を要求される前記所定の情報を前記第１プロトコル終端部に出力する情報出力部と
を備え、
前記第１プロトコル終端部は、
前記情報出力部の出力した前記所定の情報を入力し、入力した前記所定の情報を第１のプロトコルを用いて前記第１プロトコル端末に送信することを特徴とする多地点接続装置。
【請求項２】
前記第１プロトコル端末と前記第２プロトコル端末とは、
会話の場合に画像情報を送信し、
前記情報出力部は、
前記第１プロトコル端末と前記第２プロトコル端末とから送信されるそれぞれの画像情報を保有する画像情報保有部を備え、
前記第２プロトコル終端部は、
前記画像情報保有部の保有する画像情報のうち所定の画像情報を前記所定の情報として前記第１プロトコル端末へ送信するよう要求する第２プロトコル端末要求信号を前記第２プロトコル端末から入力し、
前記情報出力部は、
前記画像情報保有部から前記所定の画像情報を前記第１プロトコル終端部に出力し、
前記第１プロトコル終端部は、
前記画像情報保有部の出力した前記所定の画像情報を入力し、入力した前記所定の画像情報を、第１のプロトコルを用いて前記第１プロトコル端末に送信することを特徴とする請求項１記載の多地点接続装置。
【請求項３】
前記第１プロトコル終端部は、
会話に参加していない第１プロトコル端末を示す不参加第１プロトコル端末を接続し、
前記第２プロトコル終端部は、
前記不参加第１プロトコル端末に対して会話への参加を求める参加要求情報を前記所定の情報として前記不参加第１プロトコル端末へ送信するよう要求する第２プロトコル端末要求信号を前記第２プロトコル端末から入力し、
前記情報出力部は、
参加要求情報を前記第１プロトコル終端部に出力し、
前記第１プロトコル終端部は、
前記情報出力部の出力した参加要求情報を入力し、入力した参加要求情報を、第１のプロトコルを用いて参加が要求された前記不参加第１プロトコル端末に送信することを特徴とする請求項１記載の多地点接続装置。
【請求項４】
前記第２プロトコル終端部は、
第２プロトコル端末要求信号をプッシュボタン信号として前記第２プロトコル端末から入力することを特徴とする請求項１または２または３記載の多地点接続装置。
【請求項５】
複数の地点に存在する端末のそれぞれと通信によって接続されることにより端末同士の会話を中継するとともに、端末から要求を受け付けて、受け付けた要求に応答する多地点接続装置において、
第２のプロトコルを用いて通信を行う第２プロトコル端末を接続して第２プロトコルを終端する第２プロトコル終端部と、
第１のプロトコルを用いて通信を行う第１プロトコル端末とネットワークを介して接続して第１プロトコルを終端するとともに、所定の情報を前記第２プロトコル端末へ送信するよう要求する信号を前記第１プロトコル端末からネットワークを介してネットワーク要求信号として入力し、入力したネットワーク要求信号について第１のプロトコルを終端させて出力する第１プロトコル終端部と、
前記第１プロトコル終端部の出力したネットワーク要求信号を入力し、入力したネットワーク要求信号に対応する対応情報を出力するサーバ部と、
前記サーバ部の出力した対応情報を入力し、入力した対応情報に基づいて前記第２プロトコル端末への送信を要求される前記所定の情報を前記第２プロトコル終端部に出力する情報出力部と
を備え、
前記第２プロトコル終端部は、
前記情報出力部の出力した前記所定の情報を入力し、入力した前記所定の情報を第２のプロトコルを用いて前記第２プロトコル端末に送信することを特徴とする多地点接続装置。
【請求項６】
前記第１プロトコル端末と前記第２プロトコル端末とは、
会話の場合に画像情報を送信し、
前記情報出力部は、
前記第１プロトコル端末と前記第２プロトコル端末とから送信されるそれぞれの画像情報を保有する画像情報保有部を備え、
前記第１プロトコル終端部は、
前記画像情報保有部の保有する画像情報のうち所定の画像情報を前記所定の情報として前記第２プロトコル端末へ送信するよう要求するネットワーク要求信号を前記第１プロトコル端末から入力し、
前記情報出力部は、
前記画像情報保有部から前記所定の画像情報を前記第２プロトコル終端部に出力し、
前記第２プロトコル終端部は、
前記画像情報保有部の出力した前記所定の画像情報を入力し、入力した前記所定の画像情報を、第２のプロトコルを用いて前記第２プロトコル端末に送信することを特徴とする請求項５記載の多地点接続装置。
【請求項７】
前記第２プロトコル終端部は、
会話に参加していない第２プロトコル端末を示す不参加第２プロトコル端末を接続し、
前記第１プロトコル終端部は、
前記不参加第２プロトコル端末に対して会話への参加を求める参加要求情報を前記所定の情報として前記不参加第２プロトコル端末へ送信するよう要求するネットワーク要求信号を前記第１プロトコル端末から入力し、
前記情報出力部は、
参加要求情報を前記第２プロトコル終端部に出力し、
前記第２プロトコル終端部は、
前記情報出力部の出力した参加要求情報を入力し、入力した参加要求情報を参加が要求された前記不参加第２プロトコル端末に第２のプロトコルを用いて送信することを特徴とする請求項５記載の多地点接続装置。
【請求項８】
前記第２プロトコル端末は、
動作の制御を可能なカメラを備えるとともに、前記カメラの動作を制御する情報を示すカメラ制御情報を外部から受信して、受信した前記カメラ制御情報に基づいて前記カメラを制御し、
前記第１プロトコル終端部は、
前記カメラ制御情報を前記所定の情報として、前記第２プロトコル端末に送信するよう要求するネットワーク要求信号を前記第１プロトコル端末から入力し、
前記情報出力部は、
前記カメラ制御情報を前記第２プロトコル終端部に出力し、
前記第２プロトコル終端部は、
前記情報出力部の出力した前記カメラ制御情報を入力し、入力した前記カメラ制御情報を第２のプロトコルを用いて前記第２プロトコル端末に送信することを特徴とする請求項５記載の多地点接続装置。
【請求項９】
複数の地点に存在する端末のそれぞれと通信によって接続されることにより端末同士の会話を中継するとともに、端末から要求を受け付けて、受け付けた要求に応答する多地点接続装置において、
ネットワークと接続し、ネットワークを介して電子メールを受信し、受信した電子メールを格納するサーバ部と、
第１のプロトコルを用いて通信を行う第１プロトコル端末と接続して第１プロトコルを終端する第１プロトコル終端部と、
第２のプロトコルを用いて通信を行う第２プロトコル端末と接続して第２プロトコルを終端するとともに、前記サーバ部の格納する電子メールのうち所定の電子メールを前記第１プロトコル端末へ送信するよう要求する第２プロトコル端末要求信号を前記第２プロトコル端末から入力する第２プロトコル終端部と、
前記第２プロトコル終端部の入力した第２プロトコル端末要求信号を検出し、検出した第２プロトコル端末要求信号に基づいて、前記サーバ部の格納する電子メールから前記所定の電子メールを検索し、検索した前記所定の電子メールを前記第１プロトコル終端部に出力する情報出力部と
を備え、
前記第１プロトコル終端部は、
前記情報出力部の出力した前記所定の電子メールを入力し、入力した前記所定の電子メールを第１のプロトコルを用いて前記第１プロトコル端末に送信することを特徴とする多地点接続装置。
【発明の詳細な説明】
【技術分野】
【０００１】
この発明は、異なるプロトコルを用いる端末を収容し、それぞれの端末から通話中操作を可能とする多地点接続装置に関する。例えば、３Ｇ−３２４Ｍ規格に準拠した移動機端末である３Ｇ−３２４Ｍ端末あるいは監視カメラ装置と、ＳＩＰ（Ｓｅｓｓｉｏｎ  Ｉｎｉｔｉａｔｉｏｎ  Ｐｒｏｔｏｃｏｌ）端末を相互に接続可能な多地点ＴＶ（Ｔｅｌｅｖｉｓｉｏｎ）会議制御装置において、ＳＩＰ端末と３Ｇ−３２４Ｍ端末からの通話中操作を可能とするＧＷ（Ｇａｔｅ  Ｗａｙ）機能を持つＭＣＵ（Ｍｕｌｔｉ  ｐｏｉｎｔ  Ｃｏｎｔｒｏｌ  Ｕｎｉｔ：多地点接続装置）装置に関する。
【背景技術】
【０００２】
従来のＭＣＵ装置（例えば特許文献１）においては、通話中操作を実施する技術として、通信中の端末からのＰＢ（Ｐｕｓｈ  Ｂｕｔｔｏｎ）音によるファシリティメッセージを利用している。
【０００３】
従来のＭＣＵ装置では、通話中操作を当該通信に参加している端末にて実施していた。そのため、通話中操作を行う端末間において、共通の信号を送受信可能であることが必要があった。従って、異なるプロトコルを用いる端末を収容する会議通信を実施する場合は、端末からの要求による会議中操作（通話中操作）を行う場合、あらたに共通のプロトコルを各端末に実装する必要があった。そのため、サービスの提供範囲が共通のプロトコルを実装した専用端末に限られるという問題があった。
【特許文献１】特開２００２−１６９７３号公報
【発明の開示】
【発明が解決しようとする課題】
【０００４】
この発明は上記のような問題点を解消するためになされたもので、異なるプロトコルを持つ端末のそれぞれに共通のプロトコルを実装することなく、多地点ＴＶ会議通信において、それぞれの端末から通話中操作を可能とすることを目的とする。
【課題を解決するための手段】
【０００５】
この発明の多地点接続装置は、
複数の地点に存在する端末のそれぞれと通信によって接続されることにより端末同士の会話を中継するとともに、端末から要求を受け付けて、受け付けた要求に応答する多地点接続装置において、
第１のプロトコルを用いて通信を行う第１プロトコル端末と接続して第１プロトコルを終端する第１プロトコル終端部と、
第２のプロトコルを用いて通信を行う第２プロトコル端末と接続して第２プロトコルを終端するとともに、所定の情報を前記第１プロトコル端末へ送信するよう要求する第２プロトコル端末要求信号を前記第２プロトコル端末から入力する第２プロトコル終端部と、
前記第２プロトコル終端部の入力した第２プロトコル端末要求信号を検出し、検出した第２プロトコル端末要求信号に基づいて、前記第１プロトコル端末への送信を要求される前記所定の情報を前記第１プロトコル終端部に出力する情報出力部と
を備え、
前記第１プロトコル終端部は、
前記情報出力部の出力した前記所定の情報を入力し、入力した前記所定の情報を第１のプロトコルを用いて前記第１プロトコル端末に送信することを特徴とする。
【発明の効果】
【０００６】
この発明に係る多地点接続装置は、通話中操作のための信号プロトコルを終端する機能を備えたので、第１のプロトコルを用いる第１プロトコル端末、及び第２のプロトコルを用いる第２プロトコル端末という異なるプロトコルの端末を収容した多地点ＴＶ会議システムにおいて、端末に共通するプロトコルを実装することなく、それぞれの端末から、通話中操作を行うことができる。
【発明を実施するための最良の形態】
【０００７】
実施の形態１．
図１〜図５を用いて実施の形態１を説明する。実施の形態１は、３Ｇ−３２４Ｍ端末が通話中操作を行う実施形態である。図１は、複数台のＳＩＰ端末（第１プロトコル端末の一例）と、複数台の３Ｇ−３２４Ｍ端末（第２プロトコル端末の一例）と、ＳＩＰ−ＭＣＵ装置１００（多地点接続装置の一例）とがネットワークを介して接続している状態を示している。
【０００８】
ＳＩＰ−ＭＣＵ装置１００は、複数台のＳＩＰ端末と、複数台の３Ｇ−３２４Ｍ端末とのそれぞれとの会話を接続する多地点接続装置である。
【０００９】
図２は、実施の形態１に係るＳＩＰ−ＭＣＵ装置１００の構成を示す図である。また、図２は、複数台のＳＩＰ端末と、複数台の３Ｇ−３２４Ｍ端末とを収容し、ＴＶ会議を実現するＳＩＰ−ＭＣＵ装置１００において、ＰＢ信号検出部５と、ＰＢ信号を検出した場合にＰＢ信号検出部５が出力するＰＢ信号検出情報３２とを元に、ＴＶ会議制御部４にてＴＶ会議画面の制御、及び参加者の制御を実施する場合を示している。
【００１０】
図２を参照して、実施の形態１に係るＳＩＰ−ＭＣＵ装置１００の構成を説明する。ＳＩＰ−ＭＣＵ装置１００は、ＳＩＰ端末終端制御部２（第１プロトコル終端部の一例）、３Ｇ−３２４Ｍ端末終端制御部３（第２プロトコル終端部の一例）、ＴＶ会議制御部４、ＰＢ信号検出部５、ＴＶ会議画面制御部６（画像情報保有部の一例）を備えている。
【００１１】
ＴＶ会議制御部４、ＰＢ信号検出部５、及びＴＶ会議画面制御部６は、所定の情報を出力する情報出力部７０を構成している。情報出力部７０は、３Ｇ−３２４Ｍ端末終端制御部３の入力したＰＢ信号を検出し、検出したＰＢ信号に基づいて、ＳＩＰ端末への送信を要求される所定の情報をＳＩＰ端末終端制御部２に出力する。
【００１２】
ＳＩＰ端末終端制御部２は、ＳＩＰ端末とのＳＩＰプロトコルを終端し、ＳＩＰ端末との呼接続制御を行う。
【００１３】
３Ｇ−３２４Ｍ端末終端制御部３は、３Ｇ−３２４Ｍ端末とのプロトコルを終端し、３Ｇ−３２４Ｍ端末との呼接続制御を行う。
【００１４】
ＴＶ会議制御部４は、ＳＩＰ端末終端制御部２、３Ｇ−３２４Ｍ端末終端制御部３、ＰＢ信号検出部５等からの制御信号に基づき、ＴＶ会議に関する制御、例えば、音声の合成、画面の合成、画面の切換えなどをＴＶ会議画面制御部６に指示する。あるいは、後述の新規参加者追加情報３４をＳＩＰ端末終端制御部２、あるいは３Ｇ−３２４Ｍ端末終端制御部３に出力する。
【００１５】
ＰＢ信号検出部５は、３Ｇ−３２４Ｍ端末からのＰＢ信号を検出する。
【００１６】
ＴＶ会議画面制御部６は、ＴＶ会議制御部４からの指示に基づき、ＳＩＰ端末、あるいは、３Ｇ−３２４Ｍ端末へ送出する画像の制御を行う。
【００１７】
次に、３Ｇ−３２４Ｍ端末によるＴＶ会議画面の制御の動作について説明する。図３に示すフローチャートを参照して説明する。３Ｇ−３２４Ｍ端末２０ａが通話中操作を行うことにより、ＴＶ会議画面の制御を行う場合を説明する。
（１）ＳＩＰ−ＭＣＵ装置１００において、複数台のＳＩＰ端末と、複数台の３Ｇ−３２４Ｍ端末にて多地点ＴＶ会議を実施中である。
（２）多地点ＴＶ会議を実施中において，１台の３Ｇ−３２４Ｍ端末２０ａから、特定のＰＢ信号（第２プロトコル端末要求信号の一例）を送信する（Ｓ１１）。このＰＢ信号は、画像制御を要求する信号である。
（３）ＳＩＰ−ＭＣＵ装置１００は、ＰＢ信号検出部５によりＰＢ信号を検出する。ＰＢ信号を検出した場合には、ＰＢ信号検出部５はＰＢ信号の種類に応じたＰＢ信号検出情報３２を、ＴＶ会議制御部４に出力する（Ｓ１２）。「ＰＢ信号の種類に応じた」とは次のような意味である。すなわち、ＰＢ信号は種類に応じて異なる要求が対応付けされている。例えば、３Ｇ−３２４Ｍ端末は操作キーを備えており、「数字の１」を押した場合に送信されるＰＢ信号は、画面の表示モードを変更する要求であり、「数字の２」を押した場合に送信されるＰＢ信号は、ＴＶ会議メンバーの追加を要求するというように対応付けされている。従って、ＰＢ信号が、画面の表示モードの変更要求であれば、ＰＢ信号検出情報３２は画面の表示モードの変更要求の情報である。
（４）ＴＶ会議制御部４は、受信したＰＢ信号検出情報３２の種類に応じて、画面制御変更情報３３をＴＶ会議画面制御部６に送信する（Ｓ１３）。
（５）ＴＶ会議画面制御部６は、受信した画面制御変更情報３３に応じて、複数台のＳＩＰ端末と複数台の３Ｇ−３２４Ｍ端末に出力する画像（所定の画像情報の一例）を選択し、選択した画像をＳＩＰ端末終端制御部２、３Ｇ−３２４Ｍ端末終端制御部３に送信する（Ｓ１４）。ＳＩＰ端末終端制御部２は、ＳＩＰプロトコルを用いて画像をＳＩＰ端末へ送信する。３Ｇ−３２４Ｍ端末終端制御部３は３Ｇ−３２４Ｍプロトコルを用いて画像を３Ｇ−３２４Ｍ端末へ送信する。
【００１８】
次に、新規参加者を追加する場合の動作について説明する。図４のフローチャートを参照して説明する。この場合は、ＴＶ会議に参加している３Ｇ−３２４Ｍ端末２０ａが、ＴＶ会議に参加していないＳＩＰ端末１１（不参加第１プロトコル端末の一例）を呼び出す場合を説明する。
（１）ＳＩＰ−ＭＣＵ装置１００において、複数台のＳＩＰ端末と、複数台の３Ｇ−３２４Ｍ端末にて多地点ＴＶ会議を実施中である。ここで、ＳＩＰ端末１１はＴＶ会議に参加していないが、参加可能な状態である。
（２）多地点ＴＶ会議を実施中において、３Ｇ−３２４Ｍ端末２０ａから、特定のＰＢ信号（第２プロトコル端末要求信号の一例）を送信する（Ｓ２１）。この場合、ＰＢ信号は、ＳＩＰ端末１１の呼び出しを要求する信号である。
（３）ＳＩＰ−ＭＣＵ装置１００は、ＰＢ信号検出部５にてＰＢ信号を検出する。ＰＢ信号検出部５は、検出したＰＢ信号の種類に応じた、ＰＢ信号検出情報３２をＴＶ会議制御部４に出力する（Ｓ２２）。
（４）ＴＶ会議制御部４は、受信したＰＢ信号検出情報３２の種類に応じて、新規参加者追加情報３４（参加要求情報の一例）をＳＩＰ端末終端制御部２に送信する（Ｓ２３）。ここで、新規参加者追加情報３４は、ＴＶ会議に参加していないＳＩＰ端末１１を呼び出す内容の情報である。
（５）ＳＩＰ端末終端制御部２は、受信した新規参加者追加情報３４に応じて、ＴＶ会議実施中にＳＩＰ端末１１を呼び出す（Ｓ２４）。
【００１９】
次に、図５のフローチャートを参照して、ＴＶ会議に参加している３Ｇ−３２４Ｍ端末２０ａが、ＴＶ会議に参加していない３Ｇ−３２４Ｍ端末２１を呼び出す場合を説明する。
（１）ＳＩＰ−ＭＣＵ装置１００において、複数台のＳＩＰ端末と、複数台の３Ｇ−３２４Ｍ端末にて多地点ＴＶ会議を実施中である。ここで、３Ｇ−３２４Ｍ端末２１はＴＶ会議に参加していないが、参加可能な状態である。
（２）多地点ＴＶ会議を実施中において、３Ｇ−３２４Ｍ端末２０ａから、特定のＰＢ信号を送信する（Ｓ３１）。この場合、ＰＢ信号は、３Ｇ−３２４Ｍ端末２１の呼び出しを要求する信号である。
（３）ＳＩＰ−ＭＣＵ装置１００は、ＰＢ信号検出部５にてＰＢ信号を検出する。ＰＢ信号検出部５は、検出したＰＢ信号の種類に応じた、ＰＢ信号検出情報３２をＴＶ会議制御部４に出力する（Ｓ３２）。
（４）ＴＶ会議制御部４は、受信したＰＢ信号検出情報３２の種類に応じて、新規参加者追加情報３４を３Ｇ−３２４Ｍ端末終端制御部３に送信する（Ｓ３３）。ここで、新規参加者追加情報３４は、ＴＶ会議に参加していない３Ｇ−３２４Ｍ端末２１を呼び出す内容の情報である。
（５）３Ｇ−３２４Ｍ端末終端制御部３は、受信した新規参加者追加情報３４に応じて、ＴＶ会議実施中に３Ｇ−３２４Ｍ端末２１を呼び出す（Ｓ３４）。
【００２０】
実施の形態１に係るＳＩＰ−ＭＣＵ装置１００は、ＳＩＰ端末終端制御部、３Ｇ−３２４Ｍ端末終端制御部及び情報出力部を備えたので、ＳＩＰ端末とは異なるプロトコルを用いる３Ｇ−３２４Ｍ端末からＰＢ信号を送信して、通話中操作を行うことができる。
【００２１】
実施の形態１に係るＳＩＰ−ＭＣＵ装置１００は、３Ｇ−３２４Ｍ端末終端制御部が３Ｇ−３２４Ｍ端末から受信したＰＢ信号に基づいてＴＶ会議画面制御部を制御するので、異なるプロトコルを用いるＳＩＰ端末を接続した状態であっても、３Ｇ−３２４Ｍ端末から会話中に画面制御を行うことができる。
【００２２】
実施の形態１に係るＳＩＰ−ＭＣＵ装置１００は、３Ｇ−３２４Ｍ端末終端制御部が３Ｇ−３２４Ｍ端末から受信したＰＢ信号に基づいて会議に参加していないＳＩＰ端末に呼び出し情報を送信するので、異なるプロトコルを用いるＳＩＰ端末を接続した状態であっても、３Ｇ−３２４Ｍ端末から会議に参加していないＳＩＰ端末を呼び出すことができる。
【００２３】
実施の形態１に係るＳＩＰ−ＭＣＵ装置１００は、３Ｇ−３２４Ｍ端末終端制御部がＰＢ信号を終端するので、３Ｇ−３２４Ｍ端末がＳＩＰ端末と異なるプロトコルであっても、ＰＢ信号により通話中操作を行うことができる。
【００２４】
実施の形態２．
次に、図６〜図９を用いて実施の形態２を説明する。実施の形態２は、ＳＩＰ端末が通話中操作を行う実施形態である。実施の形態２に係るＳＩＰ−ＭＣＵ装置２００はサーバ部８０を備えており、ＳＩＰ端末は、サーバ部８０を介して通話中操作を行うことを特徴とする。
【００２５】
図６は、実施の形態２に係るＳＩＰ−ＭＣＵ装置２００の構成を示す図である。また、図６は、複数台のＳＩＰ端末と、複数台の３Ｇ−３２４Ｍ端末を収容し、ＴＶ会議を実現するＳＩＰ−ＭＣＵ装置２００において、メールサーバ部４０にて検出した受信メール信号４２、あるいはＷｅｂサーバ部４１にて検出した受信Ｗｅｂ信号４３を元に出力される受信メール・Ｗｅｂ種類信号４４を元に、ＴＶ会議制御部４にてＴＶ会議画面の制御、あるいは参加者の制御を実施する場合を示している。
【００２６】
図６を用いてＳＩＰ−ＭＣＵ装置２００の構成を説明する。ＳＩＰ−ＭＣＵ装置２００は、図２のＳＩＰ−ＭＣＵ装置１００に対して、サーバ部８０を追加した構成である。サーバ部８０は、電子メールを受信するメールサーバ部４０と、Ｗｅｂアクセスを受け付けるＷｅｂサーバ部４１とから構成されている。
【００２７】
次に、ＳＩＰ端末によるＴＶ会議画面の制御の動作について説明する。図７に示すフローチャートを参照して説明する。ＳＩＰ端末１０ａが通話中操作を行うことにより、ＴＶ会議画面の制御を行う場合を説明する。
（１）ＳＩＰ−ＭＣＵ装置２００において、複数台のＳＩＰ端末と複数台の３Ｇ−３２４Ｍ端末にて多地点ＴＶ会議を実施中である。
（２）多地点ＴＶ会議を実施中において、ＳＩＰ端末１０ａからＳＩＰ−ＭＣＵ装置２００に対して、特定のメール送信（ネットワーク要求信号の一例）、あるいはＷｅｂアクセス（ネットワーク要求信号の一例）を実施する（Ｓ４１）。ここで、メール送信あるいはＷｅｂアクセスは、ＴＶ会議画面の制御を求めるものである。
（３）ＳＩＰ−ＭＣＵ装置２００は、ネットワーク（図示していない）を介してＳＩＰ端末１０ａによるメール送信、あるいはＷｅｂアクセスをＳＩＰ端末終端制御部２から入力する。ＳＩＰ端末終端制御部２は、メール、あるいはＷｅｂアクセスを入力し、ＳＩＰプロトコルを終端し、受信メール信号４２（ネットワーク要求信号の一例）をメールサーバ部４０に出力し、あるいは受信Ｗｅｂ信号４３（ネットワーク要求信号の一例）をＷｅｂサーバ部４１に出力する。ＳＩＰ−ＭＣＵ装置２００は、メールサーバ部４０にて検出した受信メール信号４２、あるいはＷｅｂサーバ部４１にて検出した受信Ｗｅｂ信号４３に応じた受信メール・Ｗｅｂ種類信号４４（対応情報の一例）をＴＶ会議制御部４に出力する（Ｓ４２）。ここで、受信メール・Ｗｅｂ種類信号４４は、ＴＶ会議画面の制御を求める信号である。
（４）ＴＶ会議制御部４は、受信メール・Ｗｅｂ種類信号４４の種類に応じて、画面制御変更情報３３をＴＶ会議画面制御部６に送信する（Ｓ４３）。
（５）ＴＶ会議画面制御部６では、受信した画面制御変更情報３３に応じて、複数台のＳＩＰ端末１０ａ，１０ｂ等と複数台の３Ｇ−３２４Ｍ端末２０ａ，２０ｂ等に出力する画像（所定の画像情報の一例）を選択し、選択した画像をＳＩＰ端末終端制御部２、３Ｇ−３２４Ｍ端末終端制御部３に送信する（Ｓ４４）。ＳＩＰ端末終端制御部２は、ＳＩＰプロトコルを用いて画像をＳＩＰ端末１０ａ，１０ｂ等へ送信する。３Ｇ−３２４Ｍ端末終端制御部３は３Ｇ−３２４Ｍプロトコルを用いて画像を３Ｇ−３２４Ｍ端末２０ａ，２０ｂ等へ送信する。
【００２８】
次に、新規参加者を追加する場合の動作について説明する。図８のフローチャートを参照して説明する。この場合は、ＴＶ会議に参加しているＳＩＰ端末１０ａが、ＴＶ会議に参加していない３Ｇ−３２４Ｍ端末２１（不参加第２プロトコル端末の一例）を呼び出す場合を説明する。
（１）ＳＩＰ−ＭＣＵ装置２００において、複数台のＳＩＰ端末と複数台の３Ｇ−３２４Ｍ端末にて多地点ＴＶ会議を実施中である。３Ｇ−３２４Ｍ端末２１はＴＶ会議に参加していないが、参加可能な状態である。
（２）多地点ＴＶ会議を実施中において、ＳＩＰ端末１０ａからＳＩＰ−ＭＣＵ装置２００に対して、特定のメール送信（ネットワーク要求信号の一例）、あるいはＷｅｂアクセス（ネットワーク要求信号の一例）を実施する（Ｓ５１）。この場合、メール、あるいはＷｅｂアクセスの内容は、３Ｇ−３２４Ｍ端末２１の呼び出しを求める信号である。
（３）ＳＩＰ−ＭＣＵ装置２００は、ネットワーク（図示していない）を介してＳＩＰ端末１０ａによるメール送信、あるいはＷｅｂアクセスをＳＩＰ端末終端制御部２から入力する。ＳＩＰ端末終端制御部２は、メール、あるいはＷｅｂアクセスを入力し、ＳＩＰプロトコルを終端し、受信メール信号４２（ネットワーク要求信号の一例）をメールサーバ部４０に出力し、あるいは受信Ｗｅｂ信号４３（ネットワーク要求信号の一例）をＷｅｂサーバ部４１に出力する。ＳＩＰ−ＭＣＵ装置２００は、メールサーバ部４０にて検出した受信メール信号４２、あるいはＷｅｂサーバ部４１にて検出した受信Ｗｅｂ信号４３に応じた受信メール・Ｗｅｂ種類信号４４（対応情報の一例）をＴＶ会議制御部４に出力する（Ｓ５２）。
（４）ＴＶ会議制御部４は、受信メール・Ｗｅｂ種類信号４４の種類に応じて、新規参加者追加情報３４（参加要求情報の一例）を３Ｇ−３２４Ｍ端末終端制御部３に送信する（Ｓ５３）。ここで、新規参加者追加情報３４は、ＴＶ会議に参加していない３Ｇ−３２４Ｍ端末２１を呼び出す内容の情報である。
（５）３Ｇ−３２４Ｍ端末終端制御部３は、受信した新規参加者追加情報３４に応じて、ＴＶ会議実施中に３Ｇ−３２４Ｍ端末２１を呼び出す（Ｓ５４）。
【００２９】
次に、図９のフローチャートを参照して、ＴＶ会議に参加しているＳＩＰ端末１０ａが、ＴＶ会議に参加していないＳＩＰ端末１１を呼び出す場合を説明する。
（１）ＳＩＰ−ＭＣＵ装置２００において、複数台のＳＩＰ端末と複数台の３Ｇ−３２４Ｍ端末にて多地点ＴＶ会議を実施中である。ＳＩＰ端末１１はＴＶ会議に参加していないが、参加可能な状態である。
（２）多地点ＴＶ会議を実施中において、ＳＩＰ端末１０ａからＳＩＰ−ＭＣＵ装置２００に対して、特定のメール送信あるいはＷｅｂアクセスを実施する（Ｓ６１）。この場合、メール、あるいはＷｅｂアクセスの内容は、ＳＩＰ端末１１の呼び出しを求める信号である。
（３）ＳＩＰ−ＭＣＵ装置２００は、ネットワーク（図示していない）を介してＳＩＰ端末１０ａによるメール送信、あるいはＷｅｂアクセスをＳＩＰ端末終端制御部２から入力する。ＳＩＰ端末終端制御部２は、メール、あるいはＷｅｂアクセスを入力し、ＳＩＰプロトコルを終端し、受信メール信号４２をメールサーバ部４０に出力し、あるいは受信Ｗｅｂ信号４３をＷｅｂサーバ部４１に出力する。ＳＩＰ−ＭＣＵ装置２００は、メールサーバ部４０にて検出した受信メール信号４２、あるいはＷｅｂサーバ部４１にて検出した受信Ｗｅｂ信号４３に応じた受信メール・Ｗｅｂ種類信号４４をＴＶ会議制御部４に出力する（Ｓ６２）。
（４）ＴＶ会議制御部４は、受信メール・Ｗｅｂ種類信号４４の種類に応じて、新規参加者追加情報３４をＳＩＰ端末終端制御部２に送信する（Ｓ６３）。ここで、新規参加者追加情報３４は、ＴＶ会議に参加していないＳＩＰ端末１１を呼び出す内容の情報である。
（５）ＳＩＰ端末終端制御部２は、受信した新規参加者追加情報３４に応じて、ＴＶ会議実施中にＳＩＰ端末１１を呼び出す（Ｓ６４）。
【００３０】
実施の形態２に係るＳＩＰ−ＭＣＵ装置２００はＳＩＰ端末終端制御部、及びサーバ部８０を備えたので、ＳＩＰ端末とは異なるプロトコルを用いる３Ｇ−３２４Ｍ端末を収容した会話においても、ＳＩＰ端末から通話中操作を行うことができる。
【００３１】
実施の形態２に係るＳＩＰ−ＭＣＵ装置２００は、ＳＩＰ端末終端制御部がＳＩＰ端末から受信したメール、あるいはＷｅｂアクセスに基づいてＴＶ会議画面制御部を制御するので、ＳＩＰ端末とは異なるプロトコルを用いる３Ｇ−３２４Ｍ端末を収容した会話においても、会話中にＳＩＰ端末から画面制御を行うことができる。
【００３２】
実施の形態２に係るＳＩＰ−ＭＣＵ装置２００は、ＳＩＰ端末終端制御部がＳＩＰ端末から受信した電子メール、あるいはＷｅｂ信号に基づいて、会議に参加していない３Ｇ−３２４Ｍ端末に呼び出し情報を送信するので、ＳＩＰ端末とは異なるプロトコルを用いる３Ｇ−３２４Ｍ端末を収容した会話においても、ＳＩＰ端末により会議に参加していない３Ｇ−３２４Ｍ端末を呼び出すことができる。
【００３３】
実施の形態３．
次に、図１０を用いて実施の形態３を説明する。実施の形態３は、ＳＩＰ−ＭＣＵ装置３００において、３Ｇ−３２４Ｍ端末が所定の電子メールの配信を要求する内容のＰＢ信号を発信する実施形態である。そのＰＢ信号に基づいて、ＴＶ会議制御部４は、あらかじめメールデータベース部５０に格納している所定の電子メールを、所定のＳＩＰ端末、あるいは所定の３Ｇ−３２４Ｍ端末に対して送信する。メールデータベース部５０は、サーバ部８０が備える。
【００３４】
図１０は、実施の形態３に係るＳＩＰ−ＭＣＵ装置３００の構成を示す図である。ＳＩＰ−ＭＣＵ装置３００は、図６に示したＳＩＰ−ＭＣＵ装置２００に対して、さらに、受信した電子メールを格納するメールデータベース部５０を備えた構成である。
【００３５】
メールサーバ部４０はネットワーク（図示していない）と接続している。メールサーバ部４０は、ネットワークを介して電子メールを受信し、受信した電子メールをメールデータベース部５０に格納し、管理する。
【００３６】
次に、動作について説明する。
（１）ＳＩＰ−ＭＣＵ装置３００において、複数台のＳＩＰ端末と、複数台の３Ｇ−３２４Ｍ端末にて多地点ＴＶ会議を実施中である。
（２）多地点ＴＶ会議を実施中において，１台の３Ｇ−３２４Ｍ端末２０ａから、特定のＰＢ信号（第２プロトコル端末要求信号の一例）を３Ｇ−３２４Ｍ端末終端制御部３に送信する。この場合のＰＢ信号は、メールデータベース部５０に格納されている「所定の電子メール」を、ＴＶ会議に参加している他のＳＩＰ端末、及び３Ｇ−３２４Ｍ端末に送信するよう要求する信号である。
（３）ＳＩＰ−ＭＣＵ装置３００は、ＰＢ信号検出部５によりＰＢ信号を検出する。ＰＢ信号を検出した場合には、ＰＢ信号の種類に応じた、ＰＢ信号検出情報３２をＴＶ会議制御部４に出力する。この場合のＰＢ信号検出情報３２は、メールデータベース部５０に格納されている「所定の電子メール」を、ＴＶ会議に参加している他のＳＩＰ端末、及び３Ｇ−３２４Ｍ端末に送信するよう要求する情報である。
（４）ＴＶ会議制御部４は、受信したＰＢ信号検出情報３２に従って、メールデータベース部５０の格納する電子メールから「所定の電子メール」を検索する。そして、検索した「所定の電子メール」をＳＩＰ端末終端制御部２に出力し、ＳＩＰ端末終端制御部２を介して会議に参加しているＳＩＰ端末に送信する。同様に、検索した「所定の電子メール」を３Ｇ−３２４Ｍ端末終端制御部３に出力し、３Ｇ−３２４Ｍ端末終端制御部３を介して会議に参加している３Ｇ−３２４Ｍ端末に送信する。
【００３７】
実施の形態３に係るＳＩＰ−ＭＣＵ装置３００はメールデータベース部を備えたので、３Ｇ−３２４Ｍ端末の送信するＰＢ信号により、３Ｇ−３２４Ｍ端末とは異なるプロトコルを用いるＳＩＰ端末を収容した会話においても、３Ｇ−３２４Ｍ端末と異なるプロトコルを用いるＳＩＰ端末に対して、所定の電子メールを送信することができる。
【００３８】
実施の形態４．
次に、図１１、図１２を用いて実施の形態４を説明する。実施の形態４は、ＳＩＰ端末から、カメラを備えた３Ｇ−３２４Ｍ監視端末の前記カメラを制御する実施形態である。すなわち、複数台のＳＩＰ端末と、ＰＢ信号により外部カメラを制御可能な複数台の３Ｇ−３２４Ｍ監視端末２５ａ〜２５ｃを収容し、多地点監視システムを実現するＳＩＰ−ＭＣＵ装置４００において、メールサーバ部４０にて検出した受信メール信号４２、あるいはＷｅｂサーバ部４１にて検出した受信Ｗｅｂ信号４３を元に受信メール・Ｗｅｂ種類信号４４をＴＶ会議制御部４に出力し、ＴＶ会議制御部４が３Ｇ−３２４Ｍ監視端末２５ａ〜２５ｃのカメラを制御するカメラ制御情報を出力する実施形態である。
【００３９】
図１１は、実施の形態４に係るＳＩＰ−ＭＣＵ装置４００の構成を示す図である。ＳＩＰ−ＭＣＵ装置４００は、図６に示したＳＩＰ−ＭＣＵ装置２００に対して、ＰＢ信号検出部５をＰＢ信号発生部６１に置き換えた構成である。ＰＢ信号発生部６１は、ＴＶ会議制御部４から出力されるＰＢ信号生成制御信号６０に従って、外部カメラ２６ａ〜２６ｃを制御するカメラ制御情報を出力する。以下、動作を説明する。
【００４０】
次に、動作について説明する。
（１）ＳＩＰ−ＭＣＵ装置４００において、複数台のＳＩＰ端末と、ＰＢ信号により外部カメラ２６ａ〜２６ｃを制御可能な、複数台の３Ｇ−３２４Ｍ監視端末２５ａ〜２５ｃとを収容し、多地点監視サービスを提供中である。
（２）１台のＳＩＰ端末１０ａよりＳＩＰ−ＭＣＵ装置４００に対して、特定のメール送信（ネットワーク要求信号の一例）あるいはＷｅｂアクセス（ネットワーク要求信号の一例）を実施する（Ｓ７１）。この場合、メール、あるいはＷｅｂアクセスの内容は、所定の外部カメラ（任意の台数のカメラを制御することができる）を制御する情報である。この場合、例えば、３Ｇ−３２４Ｍ監視端末２５ａの備える外部カメラ２６ａを制御する情報とする。
（３）ＳＩＰ−ＭＣＵ装置４００は、ネットワーク（図示していない）を介してＳＩＰ端末１０ａによるメール送信、あるいはＷｅｂアクセスをＳＩＰ端末終端制御部２から入力する。ＳＩＰ端末終端制御部２は、メール、あるいはＷｅｂアクセスを入力し、ＳＩＰプロトコルを終端し、受信メール信号４２（ネットワーク要求信号の一例）をメールサーバ部４０に出力し、あるいは受信Ｗｅｂ信号４３（ネットワーク要求信号の一例）をＷｅｂサーバ部４１に出力する。ＳＩＰ−ＭＣＵ装置４００は、メールサーバ部４０にて検出した受信メール信号４２、あるいはＷｅｂサーバ部４１にて検出した受信Ｗｅｂ信号４３に応じて、受信メール・Ｗｅｂ種類信号４４（対応情報の一例）をＴＶ会議制御部４に出力する（Ｓ７２）。
（４）ＴＶ会議制御部４は、受信メール・Ｗｅｂ種類信号４４の種類に応じて、ＰＢ信号発生部６１にＰＢ信号生成制御信号６０を送信する（Ｓ７３）。
（５）ＰＢ信号発生部６１では、受信したＰＢ信号生成制御信号６０に応じて、特定のＰＢ信号（カメラ制御情報の一例）を発生する。この場合、特定のＰＢ信号とは、外部カメラ２６ａを制御する内容の信号である。ＰＢ信号発生部６１は、３Ｇ−３２４Ｍ端末終端制御部３を介して、ＰＢ信号を外部カメラを制御可能な機能を持つ３Ｇ−３２４Ｍ監視端末２５ａに出力する。３Ｇ−３２４Ｍ監視端末２５ａは入力したＰＢ信号に基づいて、外部カメラ２６ａを制御する（Ｓ７４）。
【００４１】
なお、上記の説明では外部カメラとしているが、３Ｇ−３２４Ｍ監視端末の内部にカメラを備えた構成でも構わない。
【００４２】
実施の形態４に係るＳＩＰ−ＭＣＵ装置４００は、ＰＢ信号発生部を備えたので、３Ｇ−３２４Ｍ監視端末の備える外部カメラを、３Ｇ−３２４Ｍ監視端末とは異なるプロトコルを用いるＳＩＰ端末から制御することができる。
【図面の簡単な説明】
【００４３】
【図１】実施の形態１におけるＳＩＰ端末、３Ｇ−３２４Ｍ端末、ＳＩＰ−ＭＣＵ装置との接続状態を示す図である。
【図２】実施の形態１におけるＳＩＰ−ＭＣＵ装置１００の構成図である。
【図３】実施の形態１における３Ｇ−３２４Ｍ端末からの画面操作を示すフローチャートである。
【図４】実施の形態１における３Ｇ−３２４Ｍ端末から会話に参加していないＳＩＰ端末を呼び出す動作を示すフローチャートである。
【図５】実施の形態１における３Ｇ−３２４Ｍ端末から会話に参加していない３Ｇ−３２４Ｍ端末を呼び出す動作を示すフローチャートである。
【図６】実施の形態２におけるＳＩＰ−ＭＣＵ装置２００を示す構成図である。
【図７】実施の形態２におけるＳＩＰ端末からの画面操作を示すフローチャートである。
【図８】実施の形態２におけるＳＩＰ端末から会話に参加していない３Ｇ−３２４Ｍ端末を呼び出す動作を示すフローチャートである。
【図９】実施の形態２におけるＳＩＰ端末から会話に参加していないＳＩＰ端末を呼び出す動作を示すフローチャートである。
【図１０】実施の形態３におけるＳＩＰ−ＭＣＵ装置３００を示す構成図である。
【図１１】実施の形態４におけるＳＩＰ−ＭＣＵ装置４００を示す構成図である。
【図１２】実施の形態４における外部カメラを制御するＰＢ信号を送信する動作を示すフローチャートである。
【符号の説明】
【００４４】
２  ＳＩＰ端末終端制御部、３  ３Ｇ−３２４Ｍ端末終端制御部、４  ＴＶ会議制御部、５  ＰＢ信号検出部、６  ＴＶ会議画面制御部、１０ａ，１０ｂ，１１  ＳＩＰ端末、２０ａ，２０ｂ，２１  ３Ｇ−３２４Ｍ端末、２５ａ，２５ｂ，２５ｃ  ３Ｇ−３２４Ｍ監視端末、２６ａ，２６ｂ，２６ｃ  外部カメラ、３０  ＡＶ信号データ、３１  ＡＶ信号データ、３２  ＰＢ信号検出情報、３３  画面制御変更情報、３４  新規参加者追加情報、４０  メールサーバ部、４１  Ｗｅｂサーバ部、４２  受信メール信号、４３  受信Ｗｅｂ信号、４４  受信メール・Ｗｅｂ種類信号、５０  メールデータベース部、６０  ＰＢ信号生成制御信号、６１  ＰＢ信号発生部、７０  情報出力部、８０  サーバ部、１００，２００，３００，４００  ＳＩＰ−ＭＣＵ装置。
【図１】
2005333422.tif 000003
【図２】
2005333422.tif 000004
【図３】
2005333422.tif 000005
【図４】
2005333422.tif 000006
【図５】
2005333422.tif 000007
【図６】
2005333422.tif 000008
【図７】
2005333422.tif 000009
【図８】
2005333422.tif 000010
【図９】
2005333422.tif 000011
【図１０】
2005333422.tif 000012
【図１１】
2005333422.tif 000013
【図１２】
2005333422.tif 000014